(57)【要約】【課題】掻き取りブレードを支持軸に締結固定するねじの頭部に堆積した現像剤が、現像剤移動体に付着する問題を軽減可能な画像形成装置等を実現する。【解決手段】  媒体に転写するための現像剤を担持した状態で回転して前記現像剤を移動させる現像剤移動体と、該現像剤移動体に対して、その下方から接離可能に設けられ、当接時に前記現像剤移動体上の現像剤を掻き取るための掻き取りブレードと、該掻き取りブレードを、該掻き取りブレードにおける前記現像剤移動体側の面で支持する支持軸であって、その軸中心に回動することによって、前記掻き取りブレードを前記現像剤移動体に対して接離させる支持軸と、前記掻き取りブレードによって掻き落とされた現像剤を回収するための現像剤回収部と、を備えた画像形成装置において、前記支持軸の外周面における前記現像剤移動体側の部分には切り欠き部が形成され、該切り欠き部に頭部が配置されたねじによって、前記掻き取りブレードは前記支持軸にねじ止めされていることを特徴とする。【選択図】        図６
2006251188.tif 000002
【特許請求の範囲】
【請求項１】
媒体に転写するための現像剤を担持した状態で回転して前記現像剤を移動させる現像剤移動体と、
該現像剤移動体に対して、その下方から接離可能に設けられ、当接時に前記現像剤移動体上の現像剤を掻き取るための掻き取りブレードと、
該掻き取りブレードを、該掻き取りブレードにおける前記現像剤移動体側の面で支持する支持軸であって、その軸中心に回動することによって、前記掻き取りブレードを前記現像剤移動体に対して接離させる支持軸と、
前記掻き取りブレードによって掻き落とされた現像剤を回収するための現像剤回収部と、を備えた画像形成装置において、
前記支持軸の外周面における前記現像剤移動体側の部分には切り欠き部が形成され、
該切り欠き部に頭部が配置されたねじによって、前記掻き取りブレードは前記支持軸にねじ止めされていることを特徴とする画像形成装置。
【請求項２】
請求項１に記載の画像形成装置において、
前記掻き取りブレードの前記現像剤移動体への当接位置よりも前記現像剤移動体の移動方向の下流側に設けられて、前記現像剤回収部で回収し損ねた現像剤を受けるための現像剤受け部を備え、
該現像剤受け部には、該現像剤受け部を前記移動方向について複数室に仕切るための仕切壁が形成され、
該仕切壁の上端の方が、前記ねじの頭部及び前記支持軸の外周面のいずれよりも、前記現像剤移動体との間の間隔が広いことを特徴とする画像形成装置。
【請求項３】
請求項２に記載の画像形成装置において、
前記仕切壁の上端の方が、前記ねじの頭部及び前記支持軸の外周面のいずれよりも、前記現像剤移動体との間の間隔が広いという関係は、前記支持軸が回動しても維持されることを特徴とする画像形成装置。
【請求項４】
請求項１乃至３のいずれかに記載の画像形成装置において、
前記切り欠き部に配置された前記頭部は、その一部も前記支持軸の外周面から突出しないように前記切り欠き部に収められていることを特徴とする画像形成装置。
【請求項５】
請求項１乃至４いずれかに記載の画像形成装置において、
潜像を担持するための像担持体と、該像担持体に担持された潜像を現像剤にて現像剤像として可視化するための現像装置と、を有し、
前記現像剤移動体は、前記像担持体上の前記現像剤像を前記媒体に転写する際の中間媒体となる中間転写体であることを特徴とする画像形成装置。
【請求項６】
媒体に転写するための現像剤を担持した状態で回転して前記現像剤を移動させる現像剤移動体と、
該現像剤移動体に対して、その下方から接離可能に設けられ、当接時に前記現像剤移動体上の現像剤を掻き取るための掻き取りブレードと、
該掻き取りブレードを、該掻き取りブレードにおける前記現像剤移動体側の面で支持する支持軸であって、その軸中心に回動することによって、前記掻き取りブレードを前記現像剤移動体に対して接離させる支持軸と、
前記掻き取りブレードによって掻き落とされた現像剤を回収するための現像剤回収部と、を備えた画像形成装置において、
前記支持軸の外周面における前記現像剤移動体側の部分には切り欠き部が形成され、
該切り欠き部に頭部が配置されたねじによって、前記掻き取りブレードは前記支持軸にねじ止めされており、
前記掻き取りブレードの前記現像剤移動体への当接位置よりも前記現像剤移動体の移動方向の下流側に設けられて、前記現像剤回収部で回収し損ねた現像剤を受けるための現像剤受け部を備え、
該現像剤受け部には、該現像剤受け部を前記移動方向について複数室に仕切るための仕切壁が形成され、
該仕切壁の上端の方が、前記ねじの頭部及び前記支持軸の外周面のいずれよりも、前記現像剤移動体との間の間隔が広く、
前記仕切壁の上端の方が、前記ねじの頭部及び前記支持軸の外周面のいずれよりも、前記現像剤移動体との間の間隔が広いという関係は、前記支持軸が回動しても維持され、
前記切り欠き部に配置された前記頭部は、その一部も前記支持軸の外周面から突出しないように前記切り欠き部に収められており、
潜像を担持するための像担持体と、該像担持体に担持された潜像を現像剤にて現像剤像として可視化するための現像装置と、を有し、
前記現像剤移動体は、前記像担持体上の前記現像剤像を前記媒体に転写する際の中間媒体となる中間転写体であることを特徴とする画像形成装置。
【請求項７】
コンピュータ、及び、このコンピュータに接続可能な画像形成装置を備えた画像形成システムであって、
前記画像形成装置は、
媒体に転写するための現像剤を担持した状態で回転して前記現像剤を移動させる現像剤移動体と、
該現像剤移動体に対して、その下方から接離可能に設けられ、当接時に前記現像剤移動体上の現像剤を掻き取るための掻き取りブレードと、
該掻き取りブレードを、該掻き取りブレードにおける前記現像剤移動体側の面で支持する支持軸であって、その軸中心に回動することによって、前記掻き取りブレードを前記現像剤移動体に対して接離させる支持軸と、
前記掻き取りブレードによって掻き落とされた現像剤を回収するための現像剤回収部と、を備え、
前記支持軸の外周面における前記現像剤移動体側の部分には切り欠き部が形成され、
該切り欠き部に頭部が配置されたねじによって、前記掻き取りブレードは前記支持軸にねじ止めされていることを特徴とする画像形成システム。
【発明の詳細な説明】
【技術分野】
【０００１】
本発明は、画像形成装置、及び、画像形成システムに関する。
【背景技術】
【０００２】
レーザビームプリンタ等の画像形成装置は既によく知られている。かかる画像形成装置は、例えば、現像剤を媒体に転写するために現像剤を担持した状態で回転して現像剤を移動させる現像剤移動体と、媒体に転写されずに現像剤移動体上に残された現像剤を回収するための現像剤回収部と、を備えている。
【０００３】
上記の現像剤回収部には、現像剤移動体上に残された現像剤を掻き取るための掻き取りブレードが設けられている。この掻き取りブレードは、前記現像剤移動体に対してその下方から当接しており、この当接位置において、前記現像剤移動体の回転に伴って移動する現像剤を、下方の現像剤回収部へと掻き落とすようになっている。なお、この掻き取りブレードは、前記当接位置の下方に配された支持軸に支持されており、詳しくは、この支持軸は、掻き取りブレードの一対の面のうちの現像剤移動体側の面にねじ止めされている。
【特許文献１】特開２００４−６１８５８号公報
【発明の開示】
【発明が解決しようとする課題】
【０００４】
ところで、一般に、前記掻き取りブレードの周辺部位には、回収し損ねた現像剤が山状に堆積してなる堆積山が生じ易い。そして、この堆積山が現像剤移動体の近傍に形成されると、現像剤移動体の回転に伴って生じる気流や静電気等の影響によって、現像剤が堆積山から現像剤移動体へと飛んでいき、当該現像剤移動体に付着してこれを汚してしまう虞がある。  
前述の支持軸もその例外ではなく、もって、設計段階においては、この支持軸の外周面と現像剤移動体との距離を、プリンタの小型化が阻害されない程度に十分大きくするようにしている。
【０００５】
しかしながら、当該支持軸は、前述したように掻き取りブレードとの締結固定用のねじを有している。このため、このねじの頭部に起因して、現像剤の堆積山と現像剤移動体との距離が前記支持軸の外周面よりも更に近づいてしまうことがあって、その場合には、当該ねじの頭部の堆積山によって現像剤移動体を汚す虞がある。
【０００６】
本発明は、かかる課題に鑑みてなされたものであり、その目的とするところは、掻き取りブレードを支持軸に締結固定するねじの頭部に堆積した現像剤が、現像剤移動体に付着する問題を軽減可能な画像形成装置、及び、画像形成システムを実現することにある。
【課題を解決するための手段】
【０００７】
主たる本発明は、媒体に転写するための現像剤を担持した状態で回転して前記現像剤を移動させる現像剤移動体と、
該現像剤移動体に対して、その下方から接離可能に設けられ、当接時に前記現像剤移動体上の現像剤を掻き取るための掻き取りブレードと、
該掻き取りブレードを、該掻き取りブレードにおける前記現像剤移動体側の面で支持する支持軸であって、その軸中心に回動することによって、前記掻き取りブレードを前記現像剤移動体に対して接離させる支持軸と、
前記掻き取りブレードによって掻き落とされた現像剤を回収するための現像剤回収部と、を備えた画像形成装置において、
前記支持軸の外周面における前記現像剤移動体側の部分には切り欠き部が形成され、
該切り欠き部に頭部が配置されたねじによって、前記掻き取りブレードは前記支持軸にねじ止めされていることを特徴とする画像形成装置である。
【０００８】
本発明の他の特徴については、本明細書及び添付図面の記載により明らかにする。
【発明を実施するための最良の形態】
【０００９】
本明細書及び添付図面の記載により、少なくとも次のことが明らかにされる。
【００１０】
媒体に転写するための現像剤を担持した状態で回転して前記現像剤を移動させる現像剤移動体と、
該現像剤移動体に対して、その下方から接離可能に設けられ、当接時に前記現像剤移動体上の現像剤を掻き取るための掻き取りブレードと、
該掻き取りブレードを、該掻き取りブレードにおける前記現像剤移動体側の面で支持する支持軸であって、その軸中心に回動することによって、前記掻き取りブレードを前記現像剤移動体に対して接離させる支持軸と、
前記掻き取りブレードによって掻き落とされた現像剤を回収するための現像剤回収部と、を備えた画像形成装置において、
前記支持軸の外周面における前記現像剤移動体側の部分には切り欠き部が形成され、
該切り欠き部に頭部が配置されたねじによって、前記掻き取りブレードは前記支持軸にねじ止めされていることを特徴とする画像形成装置。
【００１１】
このような画像形成装置によれば、ねじの頭部は、支持軸の外周面における前記現像剤移動体側の部分に形成された切り欠き部に配置されている。よって、ねじの頭部と現像剤移動体との距離を離すことができて、その結果、ねじの頭部に堆積した現像剤が現像剤移動体へと飛んでいってこれを汚してしまうことを防ぐことができる。  
なお、ねじの頭部に堆積した現像剤が、現像剤移動体へと飛んでいく原因としては、静電気や、現像剤移動体の移動に伴って発生する気流の影響等が考えられる。
【００１２】
かかる画像形成装置において、
前記掻き取りブレードの前記現像剤移動体への当接位置よりも前記現像剤移動体の移動方向の下流側に設けられて、前記現像剤回収部で回収し損ねた現像剤を受けるための現像剤受け部を備え、
該現像剤受け部には、該現像剤受け部を前記移動方向について複数室に仕切るための仕切壁が形成され、
該仕切壁の上端の方が、前記ねじの頭部及び前記支持軸の外周面のいずれよりも、前記現像剤移動体との間の間隔が広いことを特徴とする画像形成装置。  
このような画像形成装置によれば、堆積した現像剤によって現像剤移動体を汚す危険性の最も高い、前記ねじの頭部及び前記支持軸の外周面よりも、前記仕切壁の上端の方が前記現像剤移動体から離れている。従って、仕切壁に堆積した現像剤が現像剤移動体へと飛んでいき、これを汚してしまうことを確実に防止することができる。
【００１３】
かかる画像形成装置において、
前記仕切壁の上端の方が、前記ねじの頭部及び前記支持軸の外周面のいずれよりも、前記現像剤移動体との間の間隔が広いという関係は、前記支持軸が回動しても維持されることを特徴とする画像形成装置。  
このような画像形成装置によれば、請求項２に係る作用効果を確実に奏することができる。
【００１４】
かかる記載の画像形成装置において、
前記切り欠き部に配置された前記頭部は、その一部も前記支持軸の外周面から突出しないように前記切り欠き部に収められていることを特徴とする画像形成装置。  
このような画像形成装置によれば、請求項１に係る作用効果を更に確実に奏することができる。
【００１５】
また、かかる画像形成装置において、
潜像を担持するための像担持体と、該像担持体に担持された潜像を現像剤にて現像剤像として可視化するための現像装置と、を有し、
前記現像剤移動体は、前記像担持体上の前記現像剤像を前記媒体に転写する際の中間媒体となる中間転写体であることとしても良い。
【００１６】
また、媒体に転写するための現像剤を担持した状態で回転して前記現像剤を移動させる現像剤移動体と、
該現像剤移動体に対して、その下方から接離可能に設けられ、当接時に前記現像剤移動体上の現像剤を掻き取るための掻き取りブレードと、
該掻き取りブレードを、該掻き取りブレードにおける前記現像剤移動体側の面で支持する支持軸であって、その軸中心に回動することによって、前記掻き取りブレードを前記現像剤移動体に対して接離させる支持軸と、
前記掻き取りブレードによって掻き落とされた現像剤を回収するための現像剤回収部と、を備えた画像形成装置において、
前記支持軸の外周面における前記現像剤移動体側の部分には切り欠き部が形成され、
該切り欠き部に頭部が配置されたねじによって、前記掻き取りブレードは前記支持軸にねじ止めされており、
前記掻き取りブレードの前記現像剤移動体への当接位置よりも前記現像剤移動体の移動方向の下流側に設けられて、前記現像剤回収部で回収し損ねた現像剤を受けるための現像剤受け部を備え、
該現像剤受け部には、該現像剤受け部を前記移動方向について複数室に仕切るための仕切壁が形成され、
該仕切壁の上端の方が、前記ねじの頭部及び前記支持軸の外周面のいずれよりも、前記現像剤移動体との間の間隔が広く、
前記仕切壁の上端の方が、前記ねじの頭部及び前記支持軸の外周面のいずれよりも、前記現像剤移動体との間の間隔が広いという関係は、前記支持軸が回動しても維持され、
前記切り欠き部に配置された前記頭部は、その一部も前記支持軸の外周面から突出しないように前記切り欠き部に収められており、
潜像を担持するための像担持体と、該像担持体に担持された潜像を現像剤にて現像剤像として可視化するための現像装置と、を有し、
前記現像剤移動体は、前記像担持体上の前記現像剤像を前記媒体に転写する際の中間媒体となる中間転写体であることを特徴とする画像形成装置。  
このような画像形成装置によれば、既述の総ての効果を奏するため、本発明の目的がより有効に達成される。
【００１７】
コンピュータ、及び、このコンピュータに接続可能な画像形成装置を備えた画像形成システムであって、
前記画像形成装置は、
媒体に転写するための現像剤を担持した状態で回転して前記現像剤を移動させる現像剤移動体と、
該現像剤移動体に対して、その下方から接離可能に設けられ、当接時に前記現像剤移動体上の現像剤を掻き取るための掻き取りブレードと、
該掻き取りブレードを、該掻き取りブレードにおける前記現像剤移動体側の面で支持する支持軸であって、その軸中心に回動することによって、前記掻き取りブレードを前記現像剤移動体に対して接離させる支持軸と、
前記掻き取りブレードによって掻き落とされた現像剤を回収するための現像剤回収部と、を備え、
前記支持軸の外周面における前記現像剤移動体側の部分には切り欠き部が形成され、
該切り欠き部に頭部が配置されたねじによって、前記掻き取りブレードは前記支持軸にねじ止めされていることを特徴とする画像形成システムの実現も可能である。
【００１８】
＝＝＝画像形成装置の全体構成例＝＝＝
次に、図１を用いて、画像形成装置としてレーザビームプリンタ（以下、プリンタともいう）１０を例にとって、その概要について説明する。図１は、プリンタ１０を構成する主要構成要素を示した図である。なお、図１には、矢印にて上下方向（鉛直方向）を示しており、例えば、給紙トレイ９２は、プリンタ１０の下部に配置されており、定着ユニット９０は、プリンタ１０の上部に配置されている。
【００１９】
本実施の形態に係るプリンタ１０は、図１に示すように、像担持体の一例としての感光体２０の回転方向に沿って、帯電ユニット３０、露光ユニット４０、ＹＭＣＫ現像ユニット５０、一次転写ユニット６０、現像剤移動体の一例としての中間転写体７０、感光体クリーニングユニット７５を有し、さらに、二次転写ユニット８０、中間転写体クリーニングユニット８５、定着ユニット９０、ユーザへの報知手段をなし液晶パネルでなる表示ユニット９５、及び、これらのユニット等を制御しプリンタとしての動作を司る制御ユニット１００を有している。
【００２０】
感光体２０は、円筒状の導電性基材とその外周面に形成された感光層を有し、中心軸を中心に回転可能であり、本実施の形態においては、図１中の矢印で示すように時計回りに回転する。
【００２１】
帯電ユニット３０は、感光体２０を帯電するための装置であり、露光ユニット４０は、レーザを照射することによって帯電された感光体２０上に潜像を形成する装置である。この露光ユニット４０は、半導体レーザ、ポリゴンミラー、Ｆ−θレンズ等を有しており、パーソナルコンピュータ、ワードプロセッサ等の不図示のホストコンピュータから入力された画像信号に基づいて、変調されたレーザを帯電された感光体２０上に照射する。
【００２２】
ＹＭＣＫ現像ユニット５０は、感光体２０上に形成された潜像を、現像装置に収容された現像剤の一例としてのトナー、すなわち、ブラック現像装置５１に収容されたブラック（Ｋ）トナー、マゼンタ現像装置５２に収容されたマゼンタ（Ｍ）トナー、シアン現像装置５３に収容されたシアン（Ｃ）トナー、及び、イエロー現像装置５４に収容されたイエロー（Ｙ）トナーを用いて現像するための装置である。
【００２３】
このＹＭＣＫ現像ユニット５０は、前記４つの現像装置５１、５２、５３、５４が装着された状態で回転することにより、前記４つの現像装置５１、５２、５３、５４の位置を動かすことを可能としている。すなわち、このＹＭＣＫ現像ユニット５０は、前記４つの現像装置５１、５２、５３、５４を４つの保持部５５ａ、５５ｂ、５５ｃ、５５ｄにより保持しており、前記４つの現像装置５１、５２、５３、５４は、中心軸５０ａを中心として、それらの相対位置を維持したまま回転可能となっている。そして、１ページ分の画像形成が終了する毎に選択的に感光体２０に対向し、それぞれの現像装置５１、５２、５３、５４に収容されたトナーにて、感光体２０上に形成された潜像を順次現像する。なお、前述した４つの現像装置５１，５２，５３，５４の各々は、画像形成装置本体、より具体的には、ＹＭＣＫ現像ユニット５０の前記保持部５５ａ、５５ｂ、５５ｃ、５５ｄに対して着脱可能となっている。
【００２４】
一次転写ユニット６０は、感光体２０に形成された単色トナー像を中間転写体７０に転写するための装置であり、４色のトナーが順次重ねて転写されると、中間転写体７０にフルカラートナー像が形成される。
【００２５】
中間転写体７０は、感光体２０上のトナー像を媒体の一例としての記録材（紙、フィルム、布等）に転写する際の中間媒体であり、トナー（トナー像）を記録材に転写するために、トナー（トナー像）を担持した状態で回転してトナー（トナー像）を移動させる。この中間転写体７０は、ＰＥＴフィルムの表面に錫蒸着層を設けさらにその表層に半導電塗料を形成、積層したエンドレスのベルトである。なお、この中間転写体７０の幅方向は、図１の紙面と直交する方向であって、つまり、この幅方向と直交する方向に中間転写体７０は無端状になっている。そして、当該中間転写体７０は、駆動ローラ７１、従動ローラ７２等に掛け回されて張架され、感光体２０とほぼ同じ周速度にて回転駆動される。
【００２６】
また、中間転写体７０及び後述する中間転写体クリーニングユニット８５の近傍には、中間転写体７０上のトナー像の濃度を検出する濃度検出部材としてのパッチセンサ７３が設けられている。プリンタ１０は、所定のタイミングで、画像の濃度を制御するための制御動作を実行するが、かかる際に、当該パッチセンサ７３が用いられる。すなわち、前記制御動作が実行される際には、トナー像としてのパッチ像（テストパターン）が現像され、当該パッチ像が中間転写体７０に転写される。そして、中間転写体７０に転写されたパッチ像の濃度が、パッチセンサ７３により検出され、検出されたパッチ像の濃度に基づいて、画像の濃度が調整される。
【００２７】
感光体クリーニングユニット７５は、一次転写ユニット６０と帯電ユニット３０との間に設けられ、感光体２０の表面に当接されたゴム製の感光体クリーニングブレード７６を有し、一次転写ユニット６０によって中間転写体７０上にトナー像が転写された後に、感光体２０上に残存するトナーを感光体クリーニングブレード７６により掻き落として回収するための装置である。
【００２８】
二次転写ユニット８０は、中間転写体７０上に形成された単色トナー像やフルカラートナー像を記録材に転写するための装置である。  
中間転写体クリーニングユニット８５は、ＹＭＣＫ現像ユニット５０の上部に設けられ、記録材に転写されずに中間転写体７０上に残されたトナーを回収するための装置である。中間転写体クリーニングユニット８５については、後に詳述する。
【００２９】
定着ユニット９０は、記録材上に転写された単色トナー像やフルカラートナー像を記録材に融着させて永久像とするための装置である。  
制御ユニット１００は、図２に示すようにメインコントローラ１０１と、ユニットコントローラ１０２とで構成され、メインコントローラ１０１には画像信号及び制御信号が入力され、この画像信号及び制御信号に基づく指令に応じてユニットコントローラ１０２が前記各ユニット等を制御して画像を形成する。
【００３０】
次に、このように構成されたプリンタ１０の動作について説明する。  
まず、不図示のホストコンピュータからの画像信号及び制御信号がインターフェイス（Ｉ／Ｆ）１１２を介してプリンタ１０のメインコントローラ１０１に入力されると、このメインコントローラ１０１からの指令に基づくユニットコントローラ１０２の制御により感光体２０、及び、中間転写体７０が回転する。感光体２０は、回転しながら、帯電位置において帯電ユニット３０により順次帯電される。
【００３１】
感光体２０の帯電された領域は、感光体２０の回転に伴って露光位置に至り、露光ユニット４０によって、第１色目、例えばイエローＹの画像情報に応じた潜像が該領域に形成される。また、ＹＭＣＫ現像ユニット５０は、イエロー（Ｙ）トナーを収容したイエロー現像装置５４が、感光体２０に対向した現像位置に位置している。  
感光体２０上に形成された潜像は、感光体２０の回転に伴って現像位置に至り、イエロー現像装置５４によってイエロートナーで現像される。すなわち、イエロー現像装置５４は、感光体２０上に担持された潜像をトナーにてトナー像として可視化する。これにより、感光体２０上にイエロートナー像が形成される。  
感光体２０上に形成されたイエロートナー像は、感光体２０の回転に伴って一次転写位置に至り、一次転写ユニット６０によって、中間転写体７０に転写される。この際、一次転写ユニット６０には、トナーの帯電極性とは逆の極性の一次転写電圧が印加される。なお、この間、感光体２０と中間転写体７０とは接触しており、また、二次転写ユニット８０は、中間転写体７０から離間している。
【００３２】
上記の処理が、第２色目、第３色目、及び、第４色目について、各々の現像装置毎に順次実行されることにより、各画像信号に対応した４色のトナー像が、中間転写体７０に重なり合って転写される。これにより、中間転写体７０上にはフルカラートナー像が形成される。  
中間転写体７０上に形成されたフルカラートナー像は、中間転写体７０の回転に伴って二次転写位置に至り、二次転写ユニット８０によって記録材に転写される。なお、記録材は、給紙トレイ９２から、給紙ローラ９４、レジローラ９６を介して二次転写ユニット８０へ搬送される。また、転写動作を行う際、二次転写ユニット８０は中間転写体７０に押圧されるとともに、二次転写電圧が当該二次転写ユニット８０に印加される。また、記録材に転写されずに中間転写体７０上に残されたトナーは、中間転写体クリーニングユニット８５により回収される。  
記録材に転写されたフルカラートナー像は、定着ユニット９０によって加熱加圧されて記録材に融着される。
【００３３】
一方、感光体２０は一次転写位置を経過した後に、感光体クリーニングユニット７５によって、その表面に付着しているトナーが回収され、次の潜像を形成するための帯電に備える。
【００３４】
＝＝＝制御ユニット１００の概要＝＝＝
次に、制御ユニット１００の構成について図２を参照しつつ説明する。制御ユニット１００のメインコントローラ１０１は、インターフェイス１１２を介してホストコンピュータと接続され、このホストコンピュータから入力された画像信号を記憶するための画像メモリ１１３を備えている。ユニットコントローラ１０２は、装置本体の各ユニット（帯電ユニット３０、露光ユニット４０、ＹＭＣＫ現像ユニット５０、一次転写ユニット６０、中間転写体７０、感光体クリーニングユニット７５、二次転写ユニット８０、中間転写体クリーニングユニット８５、定着ユニット９０、表示ユニット９５）と電気的に接続され、それらが備えるセンサからの信号を受信することによって、各ユニットの状態を検出しつつ、メインコントローラ１０１から入力される信号に基づいて、各ユニットを制御する。
【００３５】
＝＝＝中間転写体クリーニングユニット８５の構成例＝＝＝
次に、図３乃至図４Ｂを用いて、中間転写体クリーニングユニット８５の構成例について説明する。  
図３は、中間転写体クリーニングユニット８５の斜視図である。また、図４Ａ及び図４Ｂは、共に中間転写体クリーニングユニット８５の縦断面図である。図４Ａには、中間転写体クリーニングブレード２１０が中間転写体７０に当接し、且つ中間転写体７０に上シール２２０が接触した状態を示し、図４Ｂには、中間転写体クリーニングブレード２１０及び上シール２２０が、共に中間転写体７０から離間した状態を示している。  
なお、図３乃至図４Ｂにおいては、図１同様、矢印にて上下方向（鉛直方向）を示している。
【００３６】
図４Ａ及び図４Ｂに示すように、中間転写体クリーニングユニット８５は、記録材に転写されずに中間転写体７０上に残されたトナーを回収するためのものであり、ケース２０２、現像剤回収部の一例としてのトナー収容部２０５、掻き取りブレードの一例としての中間転写体クリーニングブレード２１０、上シール２２０、現像剤受け部の一例としてのトナー受け部２３５等を有している。
【００３７】
ケース２０２は、上シール２２０と協働して、回収されたトナーの中間転写体クリーニングユニット８５外への漏出を防止する。このケース２０２の内部には、トナー収容部２０５及びトナー受け部２３５が形成されており、また、中間転写体クリーニングブレード２１０が設けられている。
【００３８】
中間転写体クリーニングブレード２１０は、図４Ａに示すように中間転写体７０に、その幅方向（図４Ａの紙面と直交する方向）に亘って当接して中間転写体７０上のトナー（すなわち、中間転写体７０の回転に伴って移動するトナー）を掻き取る機能を有している。この中間転写体クリーニングブレード２１０は、厚さ約２ｍｍのゴム製ブレードである。中間転写体クリーニングブレード２１０は、その先端が中間転写体７０の回転方向の上流側に向くように配置されている。なお、中間転写体クリーニングブレード２１０が中間転写体７０に当接する当接部２１０ａは、前述した従動ローラ７２の中心軸よりも鉛直方向下側に位置している。
【００３９】
また、中間転写体クリーニングブレード２１０は、中間転写体７０に対して接離可能となるように構成されている。すなわち、中間転写体クリーニングブレード２１０は、これを支持するブレード支持板金２１２を介して、支持軸としての回動軸３０２に固定されており、当該回動軸３０２が第一回動位置と第二回動位置との間を往復回動することにより、図４Ａ及び図４Ｂに示すように、中間転写体クリーニングブレード２１０が当接位置と非当接位置との間を往復移動する。この回動軸３０２は、縦断面形状が真円で、且つ軸方向に亘って同径の丸棒を用いて製作される。そして、その軸方向を中間転写体７０の前記幅方向に揃えて配され、前記縦断面の円心を中心として回動する。なお、その外周面３０２ａの一部は、その軸方向の全長に亘って平面に面取りされており、当該平面が前記ブレード支持板金２１２の取り付け面３０２ｄとして機能する。
【００４０】
トナー収容部２０５は、図４Ａに示すように、中間転写体クリーニングブレード２１０によって掻き取られたトナーを収容するためのものである。このトナー収容部２０５は、ケース２０２の下部に形成されており、中心軸まわりに回転可能なスクリュー部２０７を備えている。当該スクリュー部２０７は、回転することにより、トナー収容部２０５内に収容されたトナーを、不図示の廃トナーボックス（図４Ａの紙面と直交する方向において、スクリュー部２０７よりも手前側に設けられている）に送りこむ。
【００４１】
トナー受け部２３５は、トナー収容部２０５に収容されることなく中間転写体クリーニングブレード２１０から見てトナー収容部２０５とは反対側に移動したトナーを受ける機能を有する。このトナー受け部２３５は、ケース２０２の下部、かつ、中間転写体クリーニングブレード２１０から見てトナー収容部２０５とは反対側（前記感光体２０側）、に形成されている。なお、このトナー受け部２３５については、後で詳述する。
【００４２】
上シール２２０は、図４Ａに示すように中間転写体７０に接触部２２０ａにて接触して、回収されたトナーの中間転写体クリーニングユニット８５外への漏出を防止するものであり、中間転写体クリーニングブレード２１０から見て、鉛直方向上側に位置している。この上シール２２０は、厚さ約１２０μｍのシート状の部材である。上シール２２０は、その先端が中間転写体７０の回転方向の下流側に向くように配置されている。また、この上シール２２０の材質は、中間転写体７０の材質と同材質である。すなわち、上シール２２０は、ＰＥＴフィルムの表面に錫蒸着層を設けさらにその表層に半導電塗料を形成、積層したものである。
【００４３】
また、上シール２２０は、中間転写体クリーニングブレード２１０と同様、中間転写体７０に対して接離可能となるように構成されている。すなわち、上シール２２０は、これを支持するシール支持部材２２２を介して、回動部３２０に固定されており、当該回動部３２０が第一回動位置と第二回動位置との間を往復回動することにより、図４Ａ及び図４Ｂに示すように、上シール２２０が接触位置と非接触位置との間を往復移動する。また、本実施の形態においては、上シール２２０が、中間転写体クリーニングブレード２１０の移動に連動して移動するようになっており（後で詳述する）、中間転写体クリーニングブレード２１０が前記当接位置から前記非当接位置へ移動する際に、上シール２２０が前記接触位置から前記非接触位置へ移動し、中間転写体クリーニングブレード２１０が前記非当接位置から前記当接位置へ移動する際に、上シール２２０が前記非接触位置から前記接触位置へ移動する。
【００４４】
＜＜＜中間転写体クリーニングブレード２１０及び上シール２２０の接離タイミングについて＞＞＞
前述したとおり、一次転写ユニット６０が感光体２０上に形成された各色のトナー像を中間転写体７０に順次転写することにより、４色のトナー像が、中間転写体７０に重なり合って転写され、フルカラートナー像が中間転写体７０上に形成される。中間転写体７０上に形成されたフルカラートナー像は、中間転写体７０の回転に伴って二次転写位置に至り、二次転写ユニット８０によって記録材に転写される。
【００４５】
そして、記録材に転写されずに中間転写体７０上に残されたトナーが、中間転写体７０の回転に伴って、中間転写体クリーニングユニット８５に到達する直前に、図４Ａに示すように中間転写体クリーニングブレード２１０が中間転写体７０へ当接し、かつ、上シール２２０が中間転写体７０へ接触する。中間転写体クリーニングブレード２１０が、中間転写体７０上に残されたトナーを掻き取り終えると、図４Ｂに示すように中間転写体クリーニングブレード２１０及び上シール２２０は、中間転写体７０から離間して、一次転写ユニット６０による感光体２０上の各色のトナー像の次の転写に備える。
【００４６】
＜＜＜トナー受け部２３５について＞＞＞
始めにトナー受け部２３５が必要な理由について説明する。
【００４７】
前述の中間転写体７０は回転するので、その周囲には、図４Ｂに矢印で示すような中間転写体７０の移動方向Ｒに沿う気流ＡＣが生じる。一方、図４Ａに示すように、中間転写体クリーニングブレード２１０が中間転写体７０に当接していた際には、その上端縁２１０ｂ上にはトナーｔ１が堆積する。
【００４８】
よって、図４Ｂに示すように、中間転写体クリーニングブレード２１０が中間転写体７０から離間した際には、当該堆積したトナーｔ１は、上記気流ＡＣに乗って前記移動方向Ｒに飛ばされることとなり（飛ばされたトナーを符号ｔ２で示す）、これを放置するとプリンタ１０内にトナーが飛散して種々の問題を引き起こす。
【００４９】
このため、中間転写体クリーニングブレード２１０と中間転写体７０との当接位置よりも前記移動方向Ｒの下流側の位置には、前記中間転写体７０を上方に臨ませてトナー受け部２３５が配置され、これによって、前記気流ＡＣに乗って飛んでいくトナーｔ２を受け止めて捕集するようにしている。
【００５０】
このトナー受け部２３５は、前記ケース２０２と一体に設けられており、すなわち、ケース２０２の一部が、移動方向Ｒにほぼ沿ってその下流側の方へ、すなわち斜め下方に延出した構造になっている。
【００５１】
詳細には、このトナー受け部２３５は、ほぼ中間転写体７０の移動方向Ｒに沿わせるべく、移動方向Ｒの下流端が下方に位置するように傾けて延設された底板２３７を本体とする。そして、この底板２３７の両側端（中間転写体７０の幅方向の両端、つまり、図４Ｂの紙面と直交する方向の両端）及び下流端の三方を囲むべく一対の側壁２３８及び最下流壁２３９が設けられ、これによって、前記底板２３７の上面には、トナーを堆積させるための上方に開放した室が画成されている。なお、前記側壁２３８及び最下流壁２３９の上端面は互いに面一に揃うように、各壁高は設定されている。また、前記底板２３７上における前記移動方向Ｒの上流側の部分には、前述した中間転写体クリーニングブレード２１０を支持する回動軸３０２が位置している。
【００５２】
前記底板２３７上に画成された室は、二つの均等厚みの仕切壁２４０，２４０によって、更に、前記移動方向について三つの室ｒ１，ｒ２，ｒ３に仕切られている。そして、これら仕切壁２４０，２４０及び前記最下流壁２３９が、前記気流ＡＣに乗って移動方向Ｒの下流側へと飛んでくるトナーを受け止めて、前記三つの室ｒ１，ｒ２，ｒ３に捕集するようになっている。
【００５３】
なお、これら仕切壁２４０，２４０は、図４Ｂに示すように、前記移動方向Ｒと垂直な方向Ｖよりも前記移動方向Ｒの上流側に傾いているが、これは、次の理由による。一般に、仕切壁２４０が有する一対の壁面２４０ａ，２４０ｂのうちで、前記移動方向Ｒの下流側の壁面２４０ｂの近傍空間には気流ＡＣが吹き込み難く、トナーが堆積し得ぬデッドスペースを生じ易いが、前記仕切壁２４０を前記上流側に傾けることで、前記デッドスペースを縮小できるためである。
【００５４】
＜＜＜中間転写体クリーニングユニット８５の問題点について＞＞＞
ここで、図４Ｂを参照しながら、中間転写体クリーニングユニット８５の問題点について説明する。
【００５５】
上述の中間転写体クリーニングユニット８５において、中間転写体クリーニングブレード２１０と中間転写体７０との当接位置よりも下流側の諸部位、例えば、中間転写体クリーニングブレード２１０の回動軸３０２やトナー受け部２３５等の部位には、前記トナー収容部２０５に回収し損ねたトナーが山状に堆積してなる堆積山が生じ易い。
【００５６】
そして、このような堆積山が、中間転写体７０の近傍に形成されると、前述の気流ＡＣや静電気等の影響によって、前記堆積山から中間転写体７０へとトナーが飛んでいき、当該中間転写体７０に付着してこれを汚してしまう。このため、設計段階においては、これに該当する諸部位と中間転写体７０との距離を、プリンタ１０の小型化が阻害されない程度に十分離す検討がなされる。
【００５７】
この検討が最も必要な部位は、中間転写体クリーニングブレード２１０の回動軸３０２である。これは、この回動軸３０２が中間転写体クリーニングブレード２１０に最も近傍に位置していることから、この回動軸３０２の外周面３０２ａに堆積山が形成され易いという理由と、回動軸３０２が中間転写体７０に臨んでいて、当該回動軸３０２の堆積山から中間転写体７０へとトナーが飛んでいき易いという二つの理由による。
【００５８】
詳細に言えば、図４Ｂに示すように、回動軸３０２は、中間転写体クリーニングブレード２１０の下方において、ブレード支持板金２１２を介して前記中間転写体クリーニングブレード２１０を支持している。このため、回動軸３０２の外周面３０２ａには、前記トナー収容部２０５に回収し損ねたトナーが、中間転写体クリーニングブレード２１０の上端縁２１０ｂを経由して落下し、非常に堆積し易い。また、回動軸３０２は、前記ブレード支持板金２１２の一対の板面２１２ａ，２１２ｂのうちの中間転写体７０側の板面２１２ａ（図４Ｂの右側の板面）に当接固定されている。よって、回動軸３０２の外周面３０２ａは中間転写体７０と対面することになり、もって、互いの距離が近い、すなわち互いの間隔が狭い場合には、その堆積山のトナーによって中間転写体７０を汚す可能性が非常に高くなるからである。
【００５９】
しかしながら、中間転写体７０との間隔の検討を十分に行って回動軸３０２を配置したとしても、依然として中間転写体７０を汚してしまうことがある。そして、これは、中間転写体クリーニングブレード２１０に付属のブレード支持板金２１２と回動軸３０２との固定構造として、ねじ止めを用いた場合に起こりうる。
【００６０】
図５は、従来例のブレード支持板金２１２と回動軸３０２とのねじ止め構造の説明図であって、中間転写体クリーニングユニット８５を縦断面視で示している。
【００６１】
図５に示すように、ねじ止め構造を用いた場合には、主に組み立て作業性上の理由から、通常は、回動軸３０２の外周面３０２ａにおける中間転写体７０側の部分に、ねじ３０３の頭部３０３ａが位置するようにねじ止めされる。詳細には、回動軸３０２には、中間転写体７０側（図の右上側）から前記ブレード支持板金２１２の取り付け面３０２ｄ（図の左下側）へと径方向に貫通するねじ用通し穴３０２ｂが形成されている。そして、このねじ用通し穴３０２ｂに中間転写体７０側からねじ３０３を入れて、その先端の雄ねじ部３０３ｂをブレード支持板金２１２の雌ねじ２１２ｃに螺合させて締結固定し、それ故に、ねじ３０３の頭部３０３ａは、中間転写体７０側の部分（図の右上側）に位置するようになる。
【００６２】
但し、このねじ３０３の頭部３０３ａは、図５に示すように、回動軸３０２の外周面３０２ａよりも中間転写体７０側に突出していて、もって、この頭部３０３ａは回動軸３０２の外周面３０２よりも中間転写体７０に近接している。従って、いくら中間転写体７０と回動軸３０２（正確には回動軸３０２の外周面３０２ａ）との間を適正間隔に設定したとしても、当該適正間隔には、ねじ３０３の頭部３０３ａ分だけ中間転写体７０との間隔が実質的に狭くなっていることが全く反映されておらず、その結果として、ねじ３０３の頭部３０３ａに生じた堆積山により前記中間転写体７０を汚してしまう虞がある。
【００６３】
そこで、本実施の形態では、ねじ３０３の頭部３０３ａに関しても前記適正距離となるように、前述の回動軸３０２に、切り欠き部としての所謂座ぐり部３０２ｃを設けて、この座ぐり部３０２ｃに前記ねじ３０３の頭部３０３ａを配置するようにしている（図６を参照）。
【００６４】
＜＜＜本実施の形態に係るブレード支持板金２１２と回動軸３０２とのねじ止め構造について＞＞＞
図６及び図７に、本実施の形態に係るブレード支持板金２１２と回動軸３０２とのねじ止め構造の説明図を示す。なお、図６は中間転写体クリーニングユニット８５の縦断面図であり、図７は、前記ねじ３０３を外して示す中間転写体クリーニングユニット８５の斜視図である。
【００６５】
図６に示すように、前述の座ぐり部３０２ｃは、ねじ３０３の頭部３０３ａの位置に対応させて、回動軸３０２の外周面３０２ａにおける中間転写体７０側の部分に形成されている。従って、回動軸３０２のねじ用通し穴３０２ｂにねじ３０３を入れて、その先端の雄ねじ部３０３ｂをブレード支持板金２１２の雌ねじ２１２ｃに螺合させた際には、頭部３０３ａは、座ぐり部３０２ｃに収まって、回動軸３０２の外周面３０２ａから外に概ね突出せず、外周面３０２ａとほぼ面一の状態となる。その結果、ねじ３０３の頭部３０３ａと中間転写体７０との間隔は、回動軸３０２の外周面３０２ａとの間隔と概ね同じ大きさの前記適正間隔となり、もって、ねじ３０３の頭部３０３ａの堆積山による中間転写体７０の汚れを防止可能となるのである。
【００６６】
但し、厳密に言えば、図６の例にあっては、ねじ３０３の頭部３０３ａの大半の部分は座ぐり部３０２ｃに収まっているが、頭部３０３ａの外周縁部３０３ｃだけは、回動軸３０２の外周面３０２ａから外に出てしまっている。この点に関し、好ましくは、回動軸３０２の外周面３０２ａよりも外に突出する部分が全く無いようにすると良い。つまり、ねじ３０３の頭部３０３ａが完全に座ぐり部３０２ｃに収まるように当該座ぐり部３０２ｃの大きさが決めると良く、そのようにすれば、ねじ３０３の頭部３０３ａの堆積山に起因した中間転写体７０のトナー汚れは確実に防止される。
【００６７】
このような座ぐり部３０２ｃは、回動軸３０２の軸方向に関しては三カ所に形成されている。すなわち、図７に示すように、前記軸方向の中央に一カ所と、そこから等距離を隔てた端部の二カ所との、合計三カ所にそれぞれ形成されている。
【００６８】
ところで、トナーの堆積山が生じ得る部位は、上述の回動軸３０２以外にも存在し、例えば、図６に示すトナー受け部２３５の仕切壁２４０にも、当然堆積山が生じ得る。このため、当該仕切壁２４０の上端２４０ｃについても、中間転写体７０との間の間隔Ｄ２，Ｄ３を十分確保する必要がある。
【００６９】
この仕切壁２４０に係る間隔Ｄ２，Ｄ３の寸法設計上の目安としては、回動軸３０２と中間転写体７０との間隔Ｄ１よりも広くするということが挙げられる。そして、そのように設定すれば、仕切壁２４０の堆積山から中間転写体７０へのトナーの付着は確実に防止される。
【００７０】
なお、上述の寸法設計上の目安は、次のような考えに基づいている。中間転写体クリーニングブレード２１０に最も近くて堆積山が生じ易いという意味で、最も中間転写体７０を汚す危険性が有るのは前記回動軸３０２である。そして、このような回動軸３０２であっても、その中間転写体７０との間に間隔Ｄ１を確保しておけばこれを汚さなくなる以上、この回動軸３０２よりも前記中間転写体クリーニングブレード２１０から遠方に位置する仕切壁２４０については、その上端２４０ｃを前記間隔Ｄ１以上に中間転写体７０から離しておけば、当該仕切壁２４０から中間転写体７０へのトナーの付着は起こり得ないと考えられるからである。
【００７１】
ちなみに、前述したような、回動軸３０２の外周面３０２ａの外にねじ３０３の頭部３０３ａの一部が突出している場合には、図４Ａ及び図４Ｂに示す中間転写体クリーニングブレード２１０の中間転写体７０への接離動作の過程において、ねじ３０３の頭部３０３ａと中間転写体７０との間隔Ｄ１の大きさが変化するが、その場合にも、前記間隔Ｄ１よりも、仕切壁２４０の上端２４０ｃの間隔Ｄ２，Ｄ３の方が広いという関係が維持されるのが望ましい。そして、そのように設計すれば、仕切壁２４０の堆積山から中間転写体７０へのトナーの付着をより確実に防止可能となる。
【００７２】
＝＝＝その他の実施の形態＝＝＝
以上、上記実施の形態に基づき本発明に係る画像形成装置等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００７３】
上記実施の形態においては、画像形成装置としてフルカラーレーザビームプリンタを例にとって説明したが、本発明は、モノクロレーザビームプリンタ、複写機、ファクシミリなど、各種の画像形成装置に適用可能である。
【００７４】
＝＝＝画像形成システム７００等の構成＝＝＝
次に、本発明に係る実施の形態の一例である画像形成システム７００の実施形態について、図面を参照しながら説明する。
【００７５】
図８は、画像形成システム７００の外観構成を示した説明図である。画像形成システム７００は、コンピュータ７０２と、表示装置７０４と、プリンタ７０６と、入力装置７０８と、読取装置７１０とを備えている。コンピュータ７０２は、本実施形態ではミニタワー型の筐体に収納されているが、これに限られるものではない。表示装置７０４は、ＣＲＴ（Cathode Ray Tube：陰極線管）やプラズマディスプレイや液晶表示装置等が用いられるのが一般的であるが、これに限られるものではない。プリンタ７０６は、上記に説明されたプリンタが用いられている。入力装置７０８は、本実施形態ではキーボード７０８Ａとマウス７０８Ｂが用いられているが、これに限られるものではない。読取装置７１０は、本実施形態ではフレキシブルディスクドライブ装置７１０ＡとＣＤ−ＲＯＭドライブ装置７１０Ｂが用いられているが、これに限られるものではなく、例えばＭＯ（Magneto Optical）ディスクドライブ装置やＤＶＤ（Digital Versatile Disk）等の他のものであっても良い。
【００７６】
図９は、図８に示した画像形成システム７００の構成を示すブロック図である。コンピュータ７０２が収納された筐体内にＲＡＭ等の内部メモリ８０２と、ハードディスクドライブユニット８０４等の外部メモリがさらに設けられている。
【００７７】
なお、以上の説明においては、プリンタ７０６が、コンピュータ７０２、表示装置７０４、入力装置７０８、及び、読取装置７１０と接続されて画像形成システム７００を構成した例について説明したが、これに限られるものではない。例えば、画像形成システム７００が、コンピュータ７０２とプリンタ７０６から構成されても良く、画像形成システム７００が表示装置７０４、入力装置７０８及び読取装置７１０のいずれかを備えていなくても良い。
【００７８】
また、例えば、プリンタ７０６が、コンピュータ７０２、表示装置７０４、入力装置７０８、及び、読取装置７１０のそれぞれの機能又は機構の一部を持っていても良い。一例として、プリンタ７０６が、画像処理を行う画像処理部、各種の表示を行う表示部、及び、デジタルカメラ等により撮影された画像データを記録した記録メディアを着脱するための記録メディア着脱部等を有する構成としても良い。
【００７９】
このようにして実現された画像形成システム７００は、システム全体として従来システムよりも優れたシステムとなる。
【図面の簡単な説明】
【００８０】
【図１】プリンタ１０を構成する主要構成要素を示した図である。
【図２】プリンタ１０の制御ユニットを示すブロック図である。
【図３】中間転写体クリーニングユニット８５の斜視図である。
【図４Ａ】中間転写体クリーニングユニット８５の断面図であって、中間転写体クリーニングブレード２１０が中間転写体７０に当接し、且つ中間転写体７０に上シール２２０が接触した状態を示している。
【図４Ｂ】中間転写体クリーニングユニット８５の断面図であって、中間転写体クリーニングブレード２１０及び上シール２２０が、共に中間転写体７０から離間した状態を示している。
【図５】従来例のブレード支持板金２１２と回動軸３０２とのねじ止め構造の説明図である。
【図６】本実施の形態に係るブレード支持板金２１２と回動軸３０２とのねじ止め構造の説明図である。
【図７】本実施の形態に係るブレード支持板金２１２と回動軸３０２とのねじ止め構造の説明図である。
【図８】画像形成システム７００の外観構成を示した説明図である。
【図９】画像形成システム７００の構成を示すブロック図である。
【符号の説明】
【００８１】
１０  レーザビームプリンタ、２０  感光体、３０  帯電ユニット、
４０  露光ユニット、５０  ＹＭＣＫ現像ユニット、５０ａ  中心軸、
５１  ブラック現像装置、５２  マゼンタ現像装置、
５３  シアン現像装置、５４  イエロー現像装置、
５５ａ  保持部、５５ｂ  保持部、５５ｃ  保持部、５５ｄ  保持部、
６０  一次転写ユニット、７０  中間転写体、
７１  駆動ローラ、７２  従動ローラ、７３  パッチセンサ、
７５  感光体クリーニングユニット、
７６  感光体クリーニングブレード、
８０  二次転写ユニット、８５  中間転写体クリーニングユニット、
９０  定着ユニット、 ９２  給紙トレイ、９４  給紙ローラ、
９５  表示ユニット、９６  レジローラ、１００  制御ユニット、
１０１  メインコントローラ、１０２  ユニットコントローラ、
１１２  インターフェイス、１１３  画像メモリ、
２０２  ケース、２０５  トナー収容部、２０７  スクリュー部、
２１０  中間転写体クリーニングブレード、２１０ａ  当接部、
２１０ｂ  上端縁、
２１２  ブレード支持板金、２１２ｃ  雌ねじ
２２０  上シール、２２０ａ  接触部、
２２２  シール支持部材、
２３５  トナー受け部、２３７  底板、２３９  最下流壁、
２４０  仕切壁、２４０ａ  壁面、２４０ｂ  壁面、２４０ｃ  上端、
３０２  回動軸、３０２ａ  外周面、３０２ｂ  ねじ用通し穴、
３０２ｃ  座ぐり部、３０２ｄ  取り付け面、
３０３  ねじ、３０３ａ  頭部、３０３ｂ  雄ねじ部、
３０３ｃ  外周縁部、
７００  画像形成システム、７０２  コンピュータ、７０４  表示装置、
７０６  プリンタ、７０８  入力装置、７０８Ａ  キーボード、
７０８Ｂ  マウス、７１０  読取装置、
７１０Ａ  フレキシブルディスクドライブ装置、
７１０Ｂ  ＣＤ−ＲＯＭドライブ装置、
８０２  内部メモリ、８０４  ハードディスクドライブユニット、
ＡＣ  気流、Ｒ  移動方向、
ｔ１  トナー、ｔ２  トナー、
ｒ１  室、ｒ２  室、ｒ３  室、
【図１】
2006251188.tif 000003
【図２】
2006251188.tif 000004
【図３】
2006251188.tif 000005
【図４Ａ】
2006251188.tif 000006
【図４Ｂ】
2006251188.tif 000007
【図５】
2006251188.tif 000008
【図６】
2006251188.tif 000009
【図７】
2006251188.tif 000010
【図８】
2006251188.tif 000011
【図９】
2006251188.tif 000012